(57)【要約】【課題】製造工程を増加することなく、自立させたときにパウチ袋の上部に表示されたシンボルマークの視認性を向上させ、さらにパウチ袋の自立性を開封後においても維持することのできるパウチ袋を提供する。【解決手段】液体調味料を充填するための自立性を有する可撓性のパウチ袋１は、直線状の２つの側縁部１１Ｓを有する一対の側面シート１１を、側縁部に沿って一定の幅で互いに接合する側縁接合部１１ＳＳを備える。側縁接合部の一部は、２つの側縁部のうちの少なくとも一方の側縁部からパウチ袋の中央に向けてパウチ袋の幅方向Ｗに突出している突出部１５を含む。突出部は、パウチ袋を自立させたときに、パウチ内容物液位Ｌｖよりも低い位置に設けられている。【選択図】図１
2020079121.tif 000002
【特許請求の範囲】
【請求項１】
直線状の２つの側縁部を有する一対の側面シートを、前記側縁部に沿って一定の幅で互いに接合する側縁接合部を備える、液体調味料を充填するための自立性を有する可撓性のパウチ袋において、
前記側縁接合部の一部は、前記２つの側縁部のうちの少なくとも一方の側縁部から前記パウチ袋の中央に向けて前記パウチ袋の幅方向に突出している突出部を含み、
前記突出部が、前記パウチ袋を自立させたときに、パウチ内容物液位よりも低い位置に設けられている、
パウチ袋。
【請求項２】
前記一対の側面シートの少なくとも一方の外面の前記突出部よりも高い位置にシンボルマークが表示された、
請求項１に記載のパウチ袋。
【請求項３】
前記側縁接合部において、前記突出部が隣接する前記側縁接合部の部分と滑らかに接続するように前記突出部が形成されている、
請求項１又は２に記載のパウチ袋。
【請求項４】
前記突出部の突出端が湾曲した形状に形成されている、
請求項１〜３のいずれか１項に記載のパウチ袋。
【請求項５】
前記突出部の突出端が円弧状に形成されている、
請求項４に記載のパウチ袋。
【請求項６】
前記突出部が、前記２つの側縁部の両方に設けられている、
請求項１〜５のいずれか１項に記載のパウチ袋。
【請求項７】
前記一対の側面シートは略矩形のシートである、
請求項１〜６のいずれか１項に記載のパウチ袋。
【請求項８】
前記パウチ内容物の容量が２００ｍＬ以上である、
請求項１〜７のいずれか１項に記載のパウチ袋。
【請求項９】
前記パウチ袋は、前記パウチ袋の底部に形成されているガゼット部によって自立可能である、
請求項１〜８のいずれか１項に記載のパウチ袋。
【発明の詳細な説明】
【技術分野】
【０００１】
本発明は、自立性を有する可撓性のパウチ袋、特に内容物が液体、ゲル状体、粉体等の流動体であるパウチ袋に関する。
【背景技術】
【０００２】
従来から、流動体を密閉するための、底部に設けられたガゼット部によって自立性を有する可撓性のパウチ袋が知られている。こうしたパウチ袋を商品の売買のために店頭において商品棚やダンボール箱内などに自立させて陳列することが一般的に行われている。
【０００３】
このため、こうしたパウチ袋には通常、側面を形成する側面シートに、商品に関する情報を消費者に認知させたり、消費者に購買意欲を惹起させたりするための、商品名、製造者名、内容物の特徴を表す商品のキャッチコピーや説明等であるシンボルマークが表示されている。シンボルマークは、パウチ袋を店頭において前後に重ねて並べるために、消費者に対する視認性を向上させるようにパウチ袋の側面の上部に表示されていることが一般的である。
【先行技術文献】
【特許文献】
【０００４】
【特許文献１】特開２００６−３３５４７８号公報
【特許文献２】特開２００９−１２７９３号公報
【発明の概要】
【発明が解決しようとする課題】
【０００５】
しかしながら、こうしたパウチ袋は、内容物が流動体である場合は、パウチ袋が可撓性であるために、自立させた際に内容物の重量によってパウチ袋が折れ曲がったり、パウチ袋の側面シートの特に上部において皺が寄ったりする場合がある（一例として、図４参照）。このように、パウチ袋の上部に折れ曲がりや皺が生じると、パウチ袋の側面の上部に設けられたシンボルマークの視認性が低下して、シンボルマークとしての機能が発揮できなくなる場合がある。
【０００６】
さらに、パウチ袋の使用時において、パウチ袋の内容物を少量ずつ使用する場合には、パウチ袋を開封後に内容物が残っている状態で自立させることになる。このときに、同様にパウチ袋の内容物の重量によって、パウチ袋の特に上部が変形することによって、パウチ袋がバランスを崩して倒れてしまい、内容物がこぼれてしまう場合があった。
【０００７】
こうした課題を解決するものとして、特許文献１には、商品として調理例などの外観の見栄えを向上させ、かつ、開封後に内容物の一部を使用した後にパウチ袋を自立させた場合に、パウチ袋が転倒しないことを目的としたパウチ袋が開示されている。特許文献１に係るパウチ袋では、両側縁部に大きなくびれ（弓状凹部）が設けられていることにより、パウチ袋の中間部で急激に窄まることが抑制されて、壁面フィルムが滑らかに広がる。それにより、調理例などの写真等の見栄えがよく、外観が優れた商品となることが、特許文献１に記載されている。
【０００８】
また、特許文献２には、液状の内容物を充填したときの袋の形態安定性、保形性を向上させるために、側面シートの中央部に凸部の側面が形成されているパウチ袋が開示されている。引用文献２に係るパウチ袋では、従来、内容物が充填されている袋の中間部から内容物が充填されていないパウチ袋の上部にかけて発生していたＵ字状などの折れ筋が、上記凸部の側面の凸部形状に集約されることになる。それにより、パウチ袋の形態安定性、および保形性が向上されると同時に、外観も向上することが引用文献２に記載されている。
【０００９】
しかしながら、上述の特許文献１及び２に記載のパウチ袋では、両側縁部に大きなくびれ部や、側面シートの中央部に凸部の側面などを形成する特殊な加工が必要となり、製造工程が増加することとなり、その結果、製造コストが増大するという課題があった。
【００１０】
そこで本発明の目的は、製造工程を増加することなく、自立させたときにパウチ袋の上部に表示されたシンボルマークの視認性を向上させ、さらにパウチ袋の自立性を開封後においても維持することのできるパウチ袋を提供することにある。
【課題を解決するための手段】
【００１１】
請求項１の発明によれば、直線状の２つの側縁部を有する一対の側面シートを、前記側縁部に沿って一定の幅で互いに接合する側縁接合部を備える、液体調味料を充填するための自立性を有する可撓性のパウチ袋において、前記側縁接合部の一部は、前記２つの側縁部のうちの少なくとも一方の側縁部から前記パウチ袋の中央に向けて前記パウチ袋の幅方向に突出している突出部を含み、前記突出部が、前記パウチ袋を自立させたときに、パウチ内容物液位よりも低い位置に設けられている、パウチ袋が提供される。
【００１２】
すなわち、請求項１の発明では、側縁接合部がその一部に前記パウチ袋の中央に向けて突出している突出部を含んでおり、かつ、パウチ袋を自立させたときに、突出部がパウチ内容物液位よりも低い位置に設けられていることにより、突出部の周辺においてパウチ袋を積極的に変形させて大きなくびれを形成することができる。これにより、特にパウチ袋の上部において、大きな皺が寄ったり、折れ曲がったりするなどのパウチ袋の変形が抑制される。その結果、パウチ袋の上部に表示されたシンボルマークの視認性を向上させることができ、かつパウチ袋の自立性を開封後においても維持することができる。また、突出部を形成するにあたっては、突出部に対応する部分を熱シール金型に形成するのみでよく、一般的な直線状の２つの側縁部を有するシートに対して、切断や別部材の接合等の加工をすることなくパウチ袋を製造することができる。
【００１３】
なお本発明では、「パウチ内容物液位」とは、内容物が液体やゲル状体であるときは、パウチ袋を自立させた状態においてパウチ袋の内部に形成される液面の高さをいうものとする。また、内容物が粉体である場合は、パウチ内容物液位は、同様にパウチ袋を自立させた姿勢における、内容物の底面からの高さをいうものとする。
【００１４】
請求項２の発明によれば、前記一対の側面シートの少なくとも一方の外面の前記突出部よりも高い位置にシンボルマークが表示された、請求項１に記載のパウチ袋が提供される。
【００１５】
請求項２の発明よれば、自立させたときに、突出部の周辺でパウチ袋を積極的に変形させて、パウチ袋に大きなくびれを形成させることによって、突出部よりも高い位置において、パウチ袋の変形が、具体的には大きな皺が寄ったり、折れ曲がったりすることが抑制される。その結果、突出部よりも高い位置に表示されたシンボルマークの視認性を向上させることができる。
【００１６】
請求項３の発明によれば、前記側縁接合部において、前記突出部が隣接する前記側縁接合部の部分と滑らかに接続するように前記突出部が形成されている、請求項１又は２に記載のパウチ袋が提供される。さらに、請求項４の発明によれば、前記突出部の突出端が湾曲した形状に形成されている、請求項１〜３のいずれか１項に記載のパウチ袋が提供される。そして、請求項５の発明によれば、前記突出部の突出端が円弧状に形成されている、請求項４に記載のパウチ袋が提供される。
【００１７】
請求項３〜５の発明では、突出部と突出部に隣接する側縁接合部の部分との間に、そして突出部の突出端縁に、屈曲する部分が存在せず滑らかに接続されているので、パウチ袋が自立して突出部の周辺で変形したときに、変形によるパウチ袋の内部応力が一点に集中せずに分散される。これにより、応力集中によって生じるおそれのあるパウチ袋の破断（ピンホール開き）の危険性を低下させることができる。
【００１８】
請求項６の発明によれば、前記突出部が、前記２つの側縁部の両方に設けられている、請求項１〜５のいずれか１項に記載のパウチ袋が提供される。
【００１９】
請求項６の発明では、パウチ袋を自立させたときに発生する変形が、より突出部の周辺に限定される。その結果、より効果的にパウチ袋の上部に表示されたシンボルマークの視認性を向上させることができ、かつパウチ袋の開封後においても自立性を維持することができる。
【００２０】
請求項７の発明によれば、前記一対の側面シートは略矩形のシートである、請求項１〜６のいずれか１項に記載のパウチ袋が提供される。
【００２１】
請求項７の発明では、一対の側面シートに、一般的なシート形状である略矩形の互いに同形状のシートをパウチ袋の製造にそのまま使用できるので、製造工程を増加することなく、ひいては製造コストを増大させることなくパウチ袋を製造することができる。
【００２２】
請求項８の発明によれば、前記パウチ内容物の容量が２００ｍＬ以上である、請求項１〜７のいずれか１項に記載のパウチ袋が提供される。
【００２３】
請求項８の発明では、パウチ内容物の容量が大きいので、パウチ袋の変形が抑制されて、自立させたときにパウチ袋の上部に表示されたシンボルマークの視認性を向上させ、さらにパウチ袋の自立性を開封後においても維持することができるという本発明の効果をより効果的に奏することができる。
【発明の効果】
【００２４】
本発明に係るパウチ袋は、一対の側面シートを接合する側縁接合部に含まれるパウチ袋の幅方向に突出している突出部により、自立させたときにパウチ袋の上部に表示されたシンボルマークの視認性を向上させ、さらにパウチ袋の開封後においても自立性を維持することができる。
【図面の簡単な説明】
【００２５】
【図１】未充填かつ折り畳まれた状態における本発明の実施形態に係るパウチ袋の平面図。
【図２】充填後かつ自立させた状態における、本発明の実施形態に係るパウチ袋の写真。
【図３Ａ】突出部の変形例の拡大図。
【図３Ｂ】突出部の変形例の拡大図。
【図３Ｃ】突出部の変形例の拡大図。
【図３Ｄ】突出部の変形例の拡大図。
【図３Ｅ】突出部の変形例の拡大図。
【図３Ｆ】突出部の変形例の拡大図。
【図４】充填後かつ自立させた状態における、従来のパウチ袋の写真。
【発明を実施するための形態】
【００２６】
これより、上述の図面を参照しつつ、本発明の実施形態に係るパウチ袋１について説明する。本実施形態に係るパウチ袋１は、鍋つゆを充填するものであって、パウチ袋１の上部１Ｔの側縁に設けられた切り込み３からパウチ袋１の幅方向Ｗに切断して開封される。
【００２７】
本実施形態に係るパウチ袋１は、パウチ袋１の側面を形成する一対の側面シート１１と、パウチ袋１の底部１Ｂに自立のためのガゼット部５を形成する底面シート１３から構成されている。なお、本実施形態のパウチ袋１では、表面及び裏面の両側面を形成する側面シート１１がそれぞれ略同一形状であって、２枚重ねられているので、裏面を形成する側面シート１１は図１には現れていない。また、図１では、側面シート１１同士、及び側面シート１１と底面シート１３との接合部分を斜線で表している。
【００２８】
側面シート１１はそれぞれ、本実施形態では四隅が丸められている略矩形のポリエチレンテレフタレート（外層）／ナイロン（中層１）／アルミニウム箔（中層２）／無軸延伸ポリプロピレン（内層）から形成された可撓性のシートである。側面シート１１は、それぞれの２つの側縁部１１Ｓにおいて、これら側縁部１１Ｓに沿って一定の幅で互いに接合する側縁接合部１１ＳＳを備える。なお、本実施形態に係るパウチ袋１では、一般的なパウチ袋と同様に、内容物を充填後に、それぞれの上縁部１１Ｔにおいて側面シート１１同士を接合することによって、内容物を密閉することができる。
【００２９】
また、底面シート１３は、パウチ袋１の底部１Ｂにおいて、側面シート１１のそれぞれに対して側面シート１１同士の間で接合されており、これにより底部接合部１３Ｓが形成されている。パウチ袋１の底部１Ｂには、底面シート１３によってマチが形成されることによって、パウチ袋１を自立させためのガゼット部５が形成されている。
【００３０】
さらに、パウチ袋１は、本実施形態では両方の側縁部１１Ｓにおいて、側縁接合部１１ＳＳの一部が、側縁部１１Ｓからパウチ袋１の中央に向けてパウチ袋１の幅方向Ｗに突出している突出部１５を含んでいる。これらの突出部１５は、パウチ袋１を自立させたときに、パウチ内容物液位Ｌｖ（図１において点線で表示）よりも低い位置に設けられている。
【００３１】
本実施形態では、突出部１５は、突出端１５Ｅが湾曲した形状に形成されており、さらに具体的には円弧状に形成された丸山形である。さらに、突出部１５は、隣接する側縁接合部１１ＳＳの部分とその境界部分１５Ｂにおいて滑らかに接続するように、湾曲形状に形成されている。
【００３２】
側面シート１１同士及び側面シートと底面シート１３との接合は、本実施形態では熱シールによって行われている。突出部１５は、側縁部１１Ｓに熱シールを施す際に使用する金型に予め突出部１５に対応する部分を形成しておき、側縁接合部１１ＳＳの他の部分と一体的に形成することができる。
【００３３】
また、本実施形態では、パウチ袋１の表面になる側面シート１１に、さらに具体的には前記突出部１５よりも高い位置にシンボルマーク１７が表示されている。
【００３４】
これより、本実施形態に係るパウチ袋１の作用効果について説明する。
【００３５】
（１）  本実施形態に係るパウチ袋１では、概ね一定の幅で形成されている側縁接合部１１ＳＳが、その一部においてパウチ袋１の幅方向Ｗに突出する突出部１５を含み、結果として、突出部１５において幅広に形成されている。すると、突出部１５と突出部１５に隣接する箇所において剛性差が生じ、パウチ袋１は、自立した状態において、図２の写真に表れているように、内容物の重量によって突出部１５の周辺において積極的に変形させて大きなくびれＣを形成することができる。これにより、突出部１５の周辺以外の部分、特にパウチ袋１の上部１Ｔにおいて、大きな皺が寄ったり、折れ曲がったりするなどのパウチ袋１の変形が抑制される。その結果、側面シート１１の上部に表示されているシンボルマーク１７の視認性を損なうことがない。なお、図２のパウチ袋１の側面シートでは、シンボルマーク１７の表示が省略されている。
【００３６】
また従来では、工場出荷時には一般的に、こうしたパウチ袋はダンボール箱内に立てられた状態で収容される。段ボール箱からパウチ袋を取り出すときに、パウチ袋の上部が折れ曲がっていたり、皺が寄ったりしていると、屈曲した箇所に集中的に力がかかり、パウチ袋が破断する（ピンホール開き）おそれがあった。そのため、段ボール箱からパウチ袋を取り出すときに、パウチ袋の上部の折り曲がりや皺を直してからパウチ袋を取り出す必要があった。また、ダンボール箱に入れられたままパウチ袋を店頭に陳列する場合は、折り曲がりや皺を直してパウチ袋の上部を立て直す作業が必要となり煩雑であった。しかしながら、上述のように本実施形態に係るパウチ袋１では、上部１Ｔにおいて大きな皺が寄ったり、折れ曲がったりすることが抑制されるので、従来のような煩雑な作業をする手間が低減され、商品を陳列する際の作業性を向上させることができる。
【００３７】
さらに、パウチ袋は使用時において、開封後にそのまま自立させて放置される場合がある。このような場合においても、上述のように本実施形態に係るパウチ袋１では、パウチ袋１の上部１Ｔの変形が抑制されるので、パウチ袋１の上部１Ｔが変形してバランスを崩し転倒することによって液こぼれを生じる危険性が低減される。また、パウチ袋１を自立させたときに、パウチ袋１の上部１Ｔが折れ曲がって上部１Ｔに液が溜まることが抑制されるので、開封時に外気の流入性が良く、開封口がくっついたままにならずスムーズに開封することができる。
【００３８】
（２）  また、突出部１５を形成するにあたっては、上述のように突出部１５に対応する部分を熱シール金型に形成するだけでよい。したがって、一般的な直線状の２つの側縁部を有する、本実施形態では略矩形の側面シート１１に対して、切断や別部材の接合等の追加加工をすることなくパウチ袋１を製造することができる。それにより、特許文献１及び２に記載のパウチ袋のように追加加工を必要としないので、製造工程を従来の自立性の有するパウチ袋から増加させる必要がなく、さらにパウチ袋１の材料の無駄も出ない。その結果、本実施形態に係るパウチ袋１では、製造コストを増大させることが防止される。
【００３９】
（３）  また、流動体である内容物を高速でパウチ袋１に充填するときには、勢いよく内容物をパウチ袋１に充填することになり、その結果、内容物がパウチ袋１の内部で跳ね返って飛散してしまい、パウチ袋１の外表面や製造設備を汚染する場合がある。本実施形態に係るパウチ袋１では、突出部１５がパウチ袋１の中央に向けて形成されていることによって、突出部１５が形成されている箇所では、袋内部空間の幅方向Ｗ寸法が他の箇所よりも小さい。つまり、突出部１５が形成されている箇所において、袋内部空間が若干すぼまっているということができる。こうしたパウチ袋１において、充填ノズルの先端を突出部１５よりも下まで差し込むことによって、パウチ袋１に内容物を高速で充填するときに発生するおそれのある内容物の跳ね返りを、突出部１５に衝突させて方向を変えることによって減少させることができる。
【００４０】
（４）  本実施形態では、突出部１５は湾曲した形状をしており、さらに具体的には突出端縁１５Ｅは円弧形状である丸山形である。さらに、突出部１５は、隣接する側縁接合部１１ＳＳの部分とその境界部分１５Ｂにおいて滑らかに接続するように、湾曲形状に形成されている。これにより、パウチ袋１が自立して突出部１５の周辺で変形したときに、変形によるパウチ袋１の内部応力が一点に集中せずに分散される。これにより、応力集中によって生じるおそれのあるパウチ袋の破断（ピンホール開き）の危険性を低下させることができる。
【００４１】
本実施形態では、側面シート１１同士及び側面シートと底面シート１３との接合は熱シールによって行われたが、超音波シールや他の公知の接合方法によって行ってもよい。
【００４２】
また、側面シート１１及び底面シート１３は、本実施形態ではポリエチレンテレフタレート（外層）／ナイロン（中層１）／アルミニウム箔（中層２）／無軸延伸ポリプロピレン（内層）から形成されているが、本発明はこれに限定されるものではない。例えば、ポリエチレンテレフタレート（外層）／ナイロン（中層１）／アルミニウム箔（中層２）／直鎖状低密度ポリエチレン（内層）やポリエチレンテレフタレート(外層)／アルミニウム箔（中層）／無軸延伸ポリプロピレン（内層）、ポリエチレンテレフタレート(外層)／アルミニウム箔（中層）／直鎖状低密度ポリエチレン（内層）等を側面シート１１及び底面シート１３の素材として使用することができる。
【００４３】
さらに本実施形態では、突出部１５の突出形状は丸山形であるが、本発明はこの形状に限定されるものではない。例えば、突出部１５の形状の変形例としては、図３Ａ〜３Ｆに示すよう、上側が下側よりも曲率半径の大きい丸山形（図３Ａ）、下側が上側よりも曲率半径の大きい丸山形（図３Ｂ）、角が丸められた矩形（図３Ｃ）、頂角が丸められた三角形（図３Ｄ）、先が丸められた直線状形（図３Ｅ）、半円形（図３Ｆ）等が挙げられる。突出部１５は、上記のような形状であったとしても、上述の実施形態と同様の作用効果を奏することができる。また、突出部１５の設置位置や、突出部１５の構成部分の曲率半径、寸法等は、パウチ袋の寸法、容量、重量や、内容物の容量、比重、粘度等によって、上記作用効果を適切に奏するように適宜決定される。
【００４４】
また、本実施形態のパウチ袋１では、２つの側縁部にそれぞれ突出部１５が設けられているが、一方の側縁部のみに突出部が設けられていてもよい。この場合においても、本実施形態と同様に、パウチ袋を自立させたときに突出部の近傍でパウチ袋が変形するので、本実施形態に係るパウチ袋と同様の作用効果を奏することができる。しかしながら、本実施形態に係るパウチ袋１のように２つの側縁部１１Ｓにそれぞれ突出部１５が設けられていると、パウチ袋を自立させたときに発生する変形が、より突出部１５の周辺に限定される。その結果、より効果的にパウチ袋１の上部１Ｔに表示されたシンボルマーク１７の視認性を向上させることができ、かつパウチ袋１の開封後においても自立性を維持することができるので好ましい。
【００４５】
さらに、本実施形態では、内容物は鍋つゆであったが、内容物の粘度が低いとパウチ袋が変形し易いことから、粘度が０．００１Ｐａ・ｓ〜１０．０Ｐａ・ｓ（１ｃｐ〜１００００ｃｐ）の範囲である液体調味料（例えば、鍋つゆ、麺つゆ、カレー、シチュー、スープ、液体みそ、料理酒、しょうゆ、ドレッシング、シロップ類、ソース、ケチャップ、マヨネーズ、たれ類、食酢、ぽん酢、本みりん、みりん風調味料、液体だし、レトルト食品等）であると好適であり、粘度が０．００１Ｐａ・ｓ〜５．０Ｐａ・ｓ（１ｃｐ〜５０００ｃｐ）の範囲であるとさらに好適である。しかしながら、本発明はこれに限定されるものではない。例えば、内容物は、清涼飲料水、ゼリー、顆粒調味料等の流動体の食品であってもよい。さらに、内容物は例えば、インク、墨汁、ローション、乳液、化粧水、ビーズ等の食品ではない流動体であってもよい。また、液体調味料は、具材などの固形物を含んでいてもよい。
【００４６】
また、本実施形態において、特に内容物の容量を限定するものではないが、容量が大きくなると、パウチ袋を縦長に形成する必要があり、それによりパウチ袋が変形し易くなる。よって、内容物の容量が、２００ｍＬ以上、好ましくは３００ｍＬ以上、さらに好ましくは５００ｍＬ以上であると、パウチ袋の変形が抑制されて、自立させたときにパウチ袋の上部に表示されたシンボルマークの視認性を向上させ、さらにパウチ袋の自立性を開封後においても維持することができるという本発明の効果をより効果的に奏することができる。
【符号の説明】
【００４７】
１    パウチ袋
１１    側面シート
１１Ｓ    側縁部
１１ＳＳ    側縁接合部
１５    突出部
１７    シンボルマーク
Ｌｖ    パウチ内容物液位
Ｗ    幅方向
【図１】
2020079121.tif 000003
【図２】
2020079121.tif 000004
【図３Ａ】
2020079121.tif 000005
【図３Ｂ】
2020079121.tif 000006
【図３Ｃ】
2020079121.tif 000007
【図３Ｄ】
2020079121.tif 000008
【図３Ｅ】
2020079121.tif 000009
【図３Ｆ】
2020079121.tif 000010
【図４】
2020079121.tif 000011